(57)【要約】  追加使用可能な水処理装置及び当該装置を備える洗濯機であって、当該水処理装置は、給水口と排水口を備える水処理槽（２）を含み、水処理槽（２）内の水が管路を通じて洗濯機内に進入可能であり、洗濯機内の水が管路を通じて水処理槽（２）内に進入可能であり、更に、洗濯機に対し取り外し可能に接続される接続装置を含む。洗浄水の浄化処理機能を持たない通常の洗濯機は、当該水処理装置を組み合わせて使用するだけで洗浄水を浄化処理可能になるとともに、処理済みの浄水を洗濯機に戻すことが可能になる。結果、洗浄水を繰り返し効率的に利用可能となる。追加使用される水処理装置を備える洗濯機は、単独で使用可能な洗濯機本体と、これに組み合わされる水処理装置を含む。これらは取り外し可能に接続されており、且つ管路を通じて連通しているため、洗浄水を洗濯機本体から水処理装置に進入させて浄化処理を実現するとともに、処理済みの浄水を再び洗濯機本体に進入させる。【選択図】図１
2019520100.tif 000002
【特許請求の範囲】
【請求項１】
給水口と排水口を備える水処理槽を含み、水処理槽内の水が管路を通じて洗濯機内に進入可能であり、洗濯機内の水が管路を通じて水処理槽内に進入可能であり、
更に、洗濯機に対し取り外し可能に接続される接続装置を含むことを特徴とする追加使用可能な水処理装置。
【請求項２】
水処理装置は、更に、洗剤投入装置と水処理物質投入装置を含み、水処理装置における洗剤投入装置の出口が管路を通じて洗濯機の洗浄槽と連通可能であることを特徴とする請求項１に記載の追加使用可能な水処理装置。
【請求項３】
単独で使用可能な洗濯機本体と、これに組み合わされる請求項１又は２に記載の追加使用可能な水処理装置を含み、これらは取り外し可能に接続されており、且つ管路を通じて連通することで、洗浄水を洗濯機本体から水処理装置に進入させて浄化処理を実現するとともに、処理済みの浄水を再び洗濯機本体に進入させることを特徴とする追加使用される水処理装置を備える洗濯機。
【請求項４】
水処理装置には、洗剤投入装置と、水処理装置の水処理槽に水処理物質を投入する水処理物質投入装置が装着されており、且つ、水処理装置の洗剤投入装置から投入された洗剤は管路を経由して洗濯機本体の洗浄槽内に進入可能であることを特徴とする請求項３に記載の追加使用される水処理装置を備える洗濯機。
【請求項５】
水処理装置の水処理槽内の水は管路を通じて洗濯機本体の洗浄槽内に進入可能であり、洗浄槽内の水は管路を通じて水処理槽内に進入可能であることを特徴とする請求項４に記載の追加使用される水処理装置を備える洗濯機。
【請求項６】
水処理装置の排水管路は２つの分岐路に分割されており、第１の分岐路は水処理槽内の水を洗浄槽に進入させるものであり、第２の分岐路は汚水を排出するものであることを特徴とする請求項５に記載の追加使用される水処理装置を備える洗濯機。
【請求項７】
水処理装置の排水管路における第１の分岐路には、濾過装置及びウォーターポンプが設けられていることを特徴とする請求項６に記載の追加使用される水処理装置を備える洗濯機。
【請求項８】
水処理装置は給水口を複数含み、給水口の一つは、水処理槽内に給水するとともに、給水を利用して水処理槽を洗浄するよう水源に接続されており、給水口の一つは、洗浄槽内の洗浄水を水処理装置の水処理槽内に排出し、凝集処理又は水処理槽の洗浄を行うよう洗濯機本体の排水管路と連通しており、更に、給水口の一つは、水が水処理装置の洗剤投入装置に進入してから洗濯機本体の洗浄槽に給水されるよう水源に接続されていることを特徴とする請求項４〜７のいずれかに記載の追加使用される水処理装置を備える洗濯機。
【請求項９】
洗濯機本体には複数の給水口が設けられており、それぞれ水源及び水処理装置の排水管路における第１の分岐路に接続されるか、或いは、洗濯機本体には一つの給水口が設けられるとともに分水口が設けられており、それぞれ水源及び水処理装置の排水管路における第１の分岐路に接続されることを特徴とする請求項８に記載の追加使用される水処理装置を備える洗濯機。
【請求項１０】
洗濯機本体と水処理装置は、有線又は無線通信方式でこれらの連動制御が実現され、
洗濯機本体と水処理装置はそれぞれ個別に電気供給されるか、又は、洗濯機本体／水処理装置から水処理装置／洗濯機本体に電気供給されることを特徴とする請求項３に記載の追加使用される水処理装置を備える洗濯機。
【発明の詳細な説明】
【技術分野】
【０００１】
本発明は水処理装置と洗濯機に関し、特に、追加使用可能な水処理装置及び当該装置を備える洗濯機に関し、洗濯機分野に属する。
【背景技術】
【０００２】
従来常用されている通常の洗濯機は洗浄機能を備えるにすぎず、洗浄水の浄化処理機能は有していない。そのため、何度も洗浄やすすぎを行う場合には、洗浄水を全て排出してから再びきれいな水を注入し直さねばならず、大量の水が必要とされ、水の無駄使いともなっている。しかし、手動で洗浄水やすすぎ水を浄化してから洗濯機の洗浄槽に注入していたのでは、人為的な負担が増してしまう。
【０００３】
上記に鑑みて本発明を提案する。
【発明の概要】
【発明が解決しようとする課題】
【０００４】
本発明は、従来技術における瑕疵を解消し、通常の洗濯機に水処理装置を追加して洗浄水の再利用を実現可能とする追加使用可能な水処理装置及び当該装置を備える洗濯機を提供することを解決すべき技術的課題とする。
【課題を解決するための手段】
【０００５】
上記の技術的課題を解決すべく、本発明で採用する技術方案の基本思想について以下に述べる。
【０００６】
追加使用可能な水処理装置は、給水口と排水口を備える水処理槽を含み、水処理槽内の水が管路を通じて洗濯機内に進入可能であり、洗濯機内の水が管路を通じて水処理槽内に進入可能であり、更に、洗濯機に対し取り外し可能に接続される接続装置を含む。
【０００７】
更に、水処理装置は、更に、洗剤投入装置と水処理物質投入装置を含み、水処理装置における洗剤投入装置の出口が管路を通じて洗濯機の洗浄槽と連通可能である。
【０００８】
追加使用される水処理装置を備える洗濯機は、単独で使用可能な洗濯機本体と、これに組み合わされる水処理装置を含み、これらは取り外し可能に接続されており、且つ管路を通じて連通することで、洗浄水を洗濯機本体から水処理装置に進入させて浄化処理を実現するとともに、処理済みの浄水を再び洗濯機本体に進入させる。
【０００９】
更に、水処理装置には、洗剤投入装置と、水処理装置の水処理槽に水処理物質を投入する水処理物質投入装置が装着されており、且つ、水処理装置の洗剤投入装置から投入された洗剤は管路を経由して洗濯機本体の洗浄槽内に進入可能である。
【００１０】
更に、水処理装置の水処理槽内の水は管路を通じて洗濯機本体の洗浄槽内に進入可能であり、洗浄槽内の水は管路を通じて水処理槽内に進入可能である。
【００１１】
更に、水処理装置の排水管路は２つの分岐路に分割されており、第１の分岐路は水処理槽内の水を洗浄槽に進入させるものであり、第２の分岐路は汚水を排出するものである。
【００１２】
更に、水処理装置の排水管路における第１の分岐路には、濾過装置及びウォーターポンプが設けられている。
【００１３】
更に、水処理装置は給水口を複数含み、給水口の一つは、水処理槽内に給水するとともに、給水を利用して水処理槽を洗浄するよう水源に接続されており、給水口の一つは、洗浄槽内の洗浄水を水処理装置の水処理槽内に排出し、凝集処理又は水処理槽の洗浄を行うよう洗濯機本体の排水管路と連通しており、更に、給水口の一つは、水が水処理装置の洗剤投入装置に進入してから洗濯機本体の洗浄槽に給水されるよう水源に接続されている。
【００１４】
更に、洗濯機本体には複数の給水口が設けられており、それぞれ水源及び水処理装置の排水管路における第１の分岐路に接続されるか、或いは、洗濯機本体には一つの給水口が設けられるとともに分水口が設けられており、それぞれ水源及び水処理装置の排水管路における第１の分岐路に接続される。
【００１５】
更に、洗濯機本体と水処理装置は、有線又は無線通信方式でこれらの連動制御が実現され、洗濯機本体と水処理装置はそれぞれ個別に電気供給されるか、又は、洗濯機本体／水処理装置から水処理装置／洗濯機本体に電気供給される。
【発明の効果】
【００１６】
上記の技術方案を用いることで、本発明は従来技術と比較して以下のような有益な効果を有する。
【００１７】
本発明における追加使用可能な水処理装置は、給水口と排水口を備える水処理槽を含み、水処理槽内の水が管路を通じて洗濯機内に進入可能であり、洗濯機内の水が管路を通じて水処理槽内に進入可能であり、更に、洗濯機に対し取り外し可能に接続される接続装置を含む。水処理装置は、単独で使用可能な洗濯機本体に追加で組み付け可能である。よって、洗浄機能のみを備えて洗浄水の浄化処理機能は持たない通常の洗濯機は、当該水処理装置を組み合わせて使用するだけで洗浄水を浄化処理可能になるとともに、処理済みの浄水を洗濯機に戻すことが可能になる。結果、洗浄水を繰り返し効率的に利用可能となり、且つ、労働力の節約にもなる。
【００１８】
本発明の追加使用される水処理装置を備える洗濯機は、単独で使用可能な洗濯機本体と、これに組み合わされる水処理装置を含む。これらは取り外し可能に接続されており、且つ管路を通じて連通しているため、洗浄水を洗濯機本体から水処理装置に進入させて浄化処理を実現するとともに、処理済みの浄水を再び洗濯機本体に進入させる。単独で使用可能な洗濯機本体に水処理装置を追加して連通させることで、洗濯機本体内の洗浄水を浄化し、且つ、浄化済みの浄水を再び洗浄槽に戻して洗浄に再利用することが可能となる。
【００１９】
以下に、図面を組み合わせて本発明の具体的実施形態につき更に詳細に述べる。
【図面の簡単な説明】
【００２０】
【図１】図１は、本発明の追加使用される水処理装置を備える洗濯機の接続を示す図である。
【発明を実施するための形態】
【実施例１】
【００２１】
図１に示すように、追加使用可能な水処理装置は給水口と排水口を備える水処理槽２を含む。水処理槽２内の水は管路を通じて洗濯機内に進入可能であり、洗濯機内の水は管路を通じて水処理槽内に進入可能である。また、前記水処理装置は、洗濯機に対し取り外し可能に接続される接続装置を更に含む。
【００２２】
水処理装置は、更に、洗剤投入装置８と水処理物質投入装置を含む。本実施例において、水処理装置は水の凝集処理装置９であり、凝集剤によって水を浄化処理する。水処理装置における洗剤投入装置の出口は管路を通じて洗濯機の洗浄槽１と連通可能なため、水処理装置の洗剤投入装置８から投入された洗剤は管路を経由して洗濯機の洗浄槽１内に進入可能である。
【００２３】
追加使用可能な水処理装置は給水口を複数含む。このうち、給水口の一つは水源に接続されており、給水弁３を通じて、追加使用可能な水処理装置における水処理槽内に給水するとともに、給水を利用して水処理槽を洗浄するよう制御される。また、給水口の一つは、洗浄槽内の洗浄水をウォーターポンプ５によって水処理装置の水処理槽２内に排出し、凝集処理又は水処理槽の洗浄を行うよう洗濯機の排水管路と連通している。更に、給水口の一つは、水が水処理装置の洗剤投入装置に進入してから洗濯機の洗浄槽に給水されるよう水源に接続されている。
【００２４】
水処理装置は、洗浄水を凝集して浄化するよう通常の洗濯機に追加して使用可能な独立した装置であるため、洗剤の投入量によって凝集剤の投入量が決定される。凝集剤の投入量が的確となるよう、水処理装置の洗剤投入装置８から洗濯機の洗浄槽１に洗剤を投入するとともに、プロセッサを通じて水処理装置の洗剤投入装置と水処理物質投入装置を連携させることで、的確な洗剤及び凝集剤の投入を実現可能としている。また、最も簡単な方式で水処理装置と洗濯機の追加接続を実現可能である。仮に洗濯機から洗剤を投入する場合には、洗剤の投入量情報を水処理装置に伝送する必要があり、この場合には洗濯機と水処理装置の接続がより多くの信号接続に関わるため繁雑化してしまう。
【００２５】
なお、言うまでもなく、水処理装置の洗剤投入装置から投入される洗剤がより良好に洗濯機の洗浄槽に進入可能となるよう、水処理装置の洗剤投入装置から洗濯機の洗浄槽に給水することで、洗剤を押し流して溶解させ、洗浄槽に注入してもよい。
【００２６】
本発明の追加使用可能な水処理装置及び当該装置を備える洗濯機において、追加使用可能な水処理装置は給水口と排水口を備える水処理槽２を含み、給水口が洗濯機の排水管路と連通可能であるとともに、排水口が洗濯機の給水口と連通可能である。更に、前記水処理装置は、洗濯機に対し取り外し可能に接続される接続装置を含む。水処理装置は、単独で使用可能な洗濯機本体に追加で組み付け可能である。よって、洗浄水の浄化処理機能を持たない通常の洗濯機は、当該水処理装置を組み合わせて使用するだけで洗浄水を浄化処理可能になるとともに、処理済みの浄水を洗濯機に戻すことが可能になる。結果、洗浄水を繰り返し効率的に利用可能となり、且つ、労働力の節約にもなる。洗濯機本体は、従来の洗浄槽１、給水弁３、排水弁４、モータ１０を含む。水処理装置で処理された水は、濾過装置６とウォーターポンプ５を経由して洗浄槽１内に再び排出され、再利用される。水処理槽２からの排水経路には更に三方弁７が設けられており、水処理槽２を洗浄した水を外部に排出可能である。
【実施例２】
【００２７】
本発明における追加使用される水処理装置を備える洗濯機は、実施例１の追加使用可能な水処理装置を採用する。具体的に、本実施例の洗濯機は、実施例１で記載した洗浄水の浄化処理機能を持たない通常の洗濯機と、追加使用可能な水処理装置を含む。よって、本実施例では、洗浄水の浄化処理機能を持たない通常の洗濯機を洗濯機本体として記載する。
【００２８】
追加使用される水処理装置を備える洗濯機は、単独で使用可能な洗濯機本体と、これに組み合わされる水処理装置を含む。これらは取り外し可能に接続されており、且つ管路を通じて連通しているため、洗浄水を洗濯機本体から水処理装置に進入させて浄化処理を実現するとともに、処理済みの浄水を再び洗濯機本体に進入させる。
【００２９】
洗濯機本体と水処理装置は、有線又は無線通信方式でこれらの連動制御が実現される。また、洗濯機本体と水処理装置はそれぞれ個別に電気供給されるか、又は、洗濯機本体／水処理装置から水処理装置／洗濯機本体に電気供給される。
【００３０】
水処理装置には洗剤投入装置及び水処理物質投入装置が装着されている。水処理装置における洗剤投入装置の出口は管路を通じて洗濯機本体の洗浄槽と連通しているため、水処理装置の洗剤投入装置から投入された洗剤は管路を経由して洗濯機本体の洗浄槽内に進入可能である。
【００３１】
追加使用可能な水処理装置は給水口を複数含む。このうち、給水口の一つは、追加使用可能な水処理装置における水処理槽内に給水するとともに、給水を利用して水処理槽を洗浄するよう水源に接続されている。また、給水口の一つは、洗浄槽内の洗浄水を水処理装置の水処理槽内に排出し、凝集処理又は水処理槽の洗浄を行うよう洗濯機の排水管路と連通している。更に、給水口の一つは、水が水処理装置の洗剤投入装置に進入してから洗濯機本体の洗浄槽に給水されるよう水源に接続されている。
【００３２】
水処理装置の水処理槽内の水は管路を通じて洗濯機本体の洗浄槽内に進入可能であり、洗浄槽内の水は管路を通じて水処理槽内に進入可能である。洗濯機本体の排水管路が水処理装置の給水口と連通し、水処理装置の排水管路が洗濯機本体の給水口と連通することで回路が形成されている。
【００３３】
水処理装置から処理済みの浄水と汚水を洗濯機本体及び水処理装置の外部にそれぞれ排出可能とするために、水処理装置の排水管路は２つの分岐路に分割されている。第１の分岐路は水処理槽内の水を洗浄槽に進入させるものであり、第２の分岐路は汚水を排出するものである。
【００３４】
水処理装置の排水管路における第１の分岐路には、濾過装置及びウォーターポンプが設けられている。
【００３５】
水処理装置の洗剤投入装置には水源が接続されており、且つ、洗剤投入装置を経由して洗濯機本体の洗浄槽に給水することが可能である。また、洗剤の投入量によって凝集剤の投入量が決定される。凝集剤の投入量が的確となるよう、水処理装置の洗剤投入装置から洗濯機の洗浄槽に洗剤を投入するとともに、プロセッサを通じて水処理装置の洗剤投入装置と水処理物質投入装置を連携させることで、洗剤及び凝集剤の的確な投入を実現可能としている。また、水処理装置の洗剤投入装置から投入される洗剤がより良好に洗濯機の洗浄槽に進入可能となるよう、水処理装置の洗剤投入装置から洗濯機の洗浄槽に給水することで、洗剤を押し流して溶解させ、洗浄槽に注入してもよい。
【００３６】
洗濯機本体には複数の給水口が設けられており、それぞれ水源及び水処理装置の排水管路における第１の分岐路に接続される。或いは、洗濯機本体には一つの給水口が設けられるとともに分水口が設けられており、それぞれ水源及び水処理装置の排水管路における第１の分岐路に接続される。
【００３７】
本実施例において、洗濯機本体には複数の給水口が設けられており、そのうち一つの給水口が水源に接続されている。これにより、洗濯機本体の給水口から個別に給水することが可能である。
【００３８】
水処理装置は水の凝集処理装置であり、凝集剤によって水を浄化処理する。
【００３９】
本発明の追加使用される水処理装置を備える洗濯機は、単独で使用可能な洗濯機本体と、これに組み合わされる水処理装置を含む。これらは取り外し可能に接続されており、且つ管路を通じて連通しているため、洗浄水を洗濯機本体から水処理装置に進入させて浄化処理を実現するとともに、処理済みの浄水を再び洗濯機本体に進入させる。単独で使用可能な洗濯機本体に水処理装置を追加して連通させることで、洗濯機本体内の洗浄水を浄化し、且つ、浄化済みの浄水を再び洗浄槽に戻して洗浄に再利用することが可能となる。
【００４０】
上記実施例の実施方案は、更なる組み合わせ又は置き換えが可能である。且つ、実施例は本発明の好ましい実施例について述べたものにすぎず、本発明の構想及び範囲を限定するものではない。本発明の設計思想を逸脱しないことを前提に、当業者が本発明の技術方案について実施する各種の変形及び改良は、いずれも本発明の保護の範囲に属する。
【符号の説明】
【００４１】
１  洗浄槽
２  水処理槽
３  給水弁
４  排水弁
５  ウォーターポンプ
６  濾過装置
７  三方弁
８  洗剤投入装置
９  凝集剤投入装置
１０  モータ
【図１】
2019520100.tif 000003
【国際調査報告】
2019520100.tif 000004
2019520100.tif 000005
2019520100.tif 000006
2019520100.tif 000007